(57)【要約】【課題】従来の表示装置では画像が書きかえられた後、初めて現在の電池残量を知ることができる。よって利用者が画像を書き換える操作をした時点で、直ちに現在の電池残量を知ることができない。【解決手段】操作部が利用者の書きかえの操作を受け付けた場合に、書きかえ制御部が、前記不揮発性表示部に画像を書きかえさせるとともに、報知部に電池残量に応じた報知パターンでの報知を実行させる。このため、前記報知部による報知により、利用者は画像の書きかえ動作を実行中であることを確認するとともに、表示装置の電池残量を確認することができる。【選択図】図４
2011064732.tif 000002
【特許請求の範囲】
【請求項１】
電力の供給が断たれても画像の表示が維持される不揮発性表示部と、
前記不揮発性表示部に電力を供給する電池と、
前記不揮発性表示部に表示された画像を書きかえる操作を受け付ける操作部と、
複数の異なる報知パターンの報知を実行可能な報知部と、
前記電池の電池残量を取得する電池残量取得部と、
前記電池残量取得部により取得した電池残量に応じた報知パターンを、前記複数の異なる報知パターンの中から決定する報知パターン決定部と、
前記操作部により画像を書きかえる操作を受け付けた場合に、前記報知パターン決定部により決定した報知パターンでの報知を前記報知部に実行させ、且つ、前記不揮発性表示部に画像を書きかえさせる書きかえ制御部と、
を備えたことを特徴とする表示装置。
【請求項２】
前記報知パターン決定部は、前記電池残量取得部により取得した電池残量が所定の閾値以上か否かに基づいて、報知パターンを決定することを特徴とする請求項１に記載の表示装置。
【請求項３】
前回の書きかえ時の報知パターンである前回報知パターンを記憶する前回報知パターン記憶部を備え、
前記報知パターン決定部は、前記電池残量が多い場合は第一パターンを報知パターンとして決定し、前記電池残量が少ない場合は第二パターンを報知パターンとして決定し、
更に、前記報知パターン決定部は、
前記前回報知パターン記憶部に記憶された前回報知パターンが第一パターンである場合、前記電池残量取得部により取得した電池残量が第一閾値以上であるときは報知パターンを第一パターンに決定し、前記電池残量取得部により取得した電池残量が第一閾値以上でないときは報知パターンを第二パターンに決定し、
前記前回報知パターンが第二パターンである場合、前記電池残量取得部により取得した電池残量が第一閾値よりも低い第二閾値以上であるときは第一パターンに決定し、前記電池残量取得部により取得した電池残量が第二閾値以上でないときは第二パターンに決定することを特徴とする請求項２に記載の表示装置。
【請求項４】
一連の画像群の画像データを取得する画像取得部と、
前記報知パターン決定部は、前記画像取得部にて取得した一連の画像群の画像データを書きかえる際に、前記取得した電池残量にて一連の画像群が最後まで表示が可能か否かに応じて異なる報知パターンに決定することを特徴とする請求項１に記載の表示装置。
【請求項５】
前記操作部に所定の操作が入力された場合に、所定の報知パターンでエラー報知を前記報知部に実行させるエラー報知制御部を備え、
前記エラー報知制御部は、前記電池の電池残量にかかわらず前記所定の報知パターンでエラー報知を前記報知部に実行させることを特徴とする請求項１に記載の表示装置。
【請求項６】
電力の供給が断たれても画像の表示が維持される不揮発性表示部と、前記不揮発性表示部に電力を供給する電池と、前記不揮発性表示部に表示された画像を書きかえる操作を受け付ける操作部と、複数の異なる報知パターンの報知を実行可能な報知部とを備えた表示装置のコンピュータに対して、
前記電池の電池残量を取得する電池残量取得ステップと、
前記電池残量取得部により取得した電池残量に応じた報知パターンを、前記複数の異なる報知パターンの中から決定する報知パターン決定ステップと、
前記操作部により画像を書きかえる操作を受け付けた場合に、前記報知パターン決定部により決定した報知パターンでの報知を前記報知部に実行させ、且つ、前記不揮発性表示部に画像を書きかえさせる書きかえ制御ステップと、
を実行させることを特徴とする表示装置のプログラム。
【発明の詳細な説明】
【技術分野】
【０００１】
本発明は、表示装置及び表示装置のプログラムに関するものである。
【背景技術】
【０００２】
従来から、電力の供給が絶たれても画像の表示が維持される表示装置が知られている（例えば、特許文献１）。このような表示装置は、電気泳動型の表示素子やコレステリック液晶等を備えた不揮発性表示部を有する。
【先行技術文献】
【特許文献】
【０００３】
【特許文献１】特開２００８−１９７９５３号公報
【発明の概要】
【発明が解決しようとする課題】
【０００４】
このような表示装置で電池を採用した従来の表示装置は、不揮発性表示部の一部の表示領域に電池残量を示していた。このような表示装置には次のような問題がある。不揮発性表示部を採用した表示装置は、画像の書きかえ指示が入力されるまで表示中の画像を更新しない。すなわち、不揮発性表示部に表示された電池残量も、画像が書きかえられるまで更新されないので、不揮発性表示部に表示されている電池残量は実際の電池残量よりも少し前に検出された過去の電池残量となる。したがって、現在の正確な電池残量を知るためには、書きかえ動作が完了したあとに不揮発性表示部に表示される電池残量を確認しなければならない。このように、従来の表示装置では、画像が書きかえられた後でしか現在の電池残量を知ることができない。
【０００５】
この問題を解消するために、ＬＥＤ表示部を設けて表示装置の利用中に絶えずＬＥＤを発光させて、ＬＥＤの発光色の変化により電池残量を利用者に報知することが考えられる。しかしながら、電池残量を報知することのみを目的として別途ＬＥＤ表示部を設けることはコスト面から考えにくい。また、表示装置の利用中にＬＥＤを耐えず発光させて電力を消費させることは、低消費電力で画像表示ができる不揮発性表示部のメリットを相殺してしまうことになる。したがって、電池残量の報知の目的のためだけにＬＥＤ表示部を採用することは、不揮発性表示部を備えた表示装置においては考えにくい。
【０００６】
一方、上記の目的とは別の目的でＬＥＤ表示部を採用した不揮発性表示部を備えた表示装置が知られている。利用者が画像の書き換えの操作を入力した場合に、ＬＥＤ表示部の青色のＬＥＤを１回点滅させるなどして、書きかえ動作を実行中であることを利用者に報知する表示装置である。しかし、このような表示装置においては、電池残量を利用者に報知することについては一切考えられていない。
【０００７】
そこで本発明は、画像の書きかえの操作が入力された場合に、書きかえ動作を実行中であることを報知するとともに、電池残量の報知を利用者に行うことができる表示装置を提供することを目的とする。
【課題を解決するための手段】
【０００８】
上述の課題を解決するため、請求項１に記載の発明は、電力の供給が断たれても画像の表示が維持される不揮発性表示部と、前記不揮発性表示部に電力を供給する電池と、前記不揮発性表示部に表示された画像を書きかえる操作を受け付ける操作部と、複数の異なる報知パターンの報知を実行可能な報知部と、前記電池の電池残量を取得する電池残量取得部と、前記電池残量取得部により取得した電池残量に応じた報知パターンを、前記複数の異なる報知パターンの中から決定する報知パターン決定部と、前記操作部により画像を書きかえる操作を受け付けた場合に、前記報知パターン決定部により決定した報知パターンでの報知を前記報知部に実行させ、且つ、前記不揮発性表示部に画像を書きかえさせる書きかえ制御部と、を備えたことを特徴とする。
【０００９】
請求項１に記載の発明によれば、前記操作部が利用者の書きかえの操作を受け付けた場合に、前記書きかえ制御部が、前記不揮発性表示部に画像を書きかえさせるとともに、前記書きかえ時に前記報知部に電池残量に応じた報知パターンでの報知を実行させる。このため、前記報知部による報知により、利用者は画像の書きかえ動作を実行中であることを確認するとともに、表示装置の電池残量を確認することができる。
【００１０】
また、請求項２に記載の発明によれば、請求項１に記載の発明が有する特徴に加え、前記報知パターン決定部は、前記電池残量取得部により取得した電池残量が所定の閾値以上か否かに基づいて、報知パターンを決定することを特徴とする。
【００１１】
また、請求項３に記載の発明によれば、請求項２に記載の発明が有する特徴に加え、前回の書きかえ時の報知パターンである前回報知パターンを記憶する前回報知パターン記憶部を備え、前記報知パターン決定部は、前記電池残量が多い場合は第一パターンを報知パターンとして決定し、前記電池残量が少ない場合は第二パターンを報知パターンとして決定し、更に、前記報知パターン決定部は、前記前回報知パターン記憶部に記憶された前回報知パターンが第一パターンである場合、前記電池残量取得部により取得した電池残量が第一閾値以上であるときは報知パターンを第一パターンに決定し、前記電池残量取得部により取得した電池残量が第一閾値以上でないときは報知パターンを第二パターンに決定し、前記前回報知パターンが第二パターンである場合、前記電池残量取得部により取得した電池残量が第一閾値よりも低い第二閾値以上であるときは第一パターンに決定し、前記電池残量取得部により取得した電池残量が第二閾値以上でないときは第二パターンに決定することを特徴とする。
【００１２】
請求項３に記載の発明によれば、請求項２に記載の発明が奏する効果に加え、前記電池残量取得部により取得した電池残量が変動することにより、画像の書きかえごとに報知部が報知する報知パターンがばらつくことを防止することができる。
【００１３】
また、請求項４に記載の発明によれば、請求項１に記載の発明が有する特徴に加え、一連の画像群の画像データを取得する画像取得部と、前記報知パターン決定部は、前記画像取得部にて取得した一連の画像群の画像データを書きかえる際に、前記取得した電池残量にて一連の画像群が最後まで表示が可能か否かに応じて異なる報知パターンに決定することを特徴とする。
【００１４】
これにより、請求項４に記載の発明によれば、請求項１に記載の発明が奏する効果に加え、一連の画像群を最後まで表示することが可能か否かを利用者が知ることができる。
【００１５】
また、請求項５に記載の発明によれば、請求項１に記載の発明が有する特徴に加え、前記操作部に所定の操作が入力された場合に、所定の報知パターンでエラー報知を前記報知部に実行させるエラー報知制御部を備え、前記エラー報知制御部は、前記電池の電池残量にかかわらず前記所定の報知パターンでエラー報知を前記報知部に実行させることを特徴とする。
【００１６】
請求項５に記載の発明によれば、請求項１に記載の発明が奏する効果に加え、エラー報知は電池残量にかかわらず毎回同じ報知パターンでの報知とすることができる。
【００１７】
また、請求項６に記載の発明によれば、電力の供給が断たれても画像の表示が維持される不揮発性表示部と、前記不揮発性表示部に電力を供給する電池と、前記不揮発性表示部に表示された画像を書きかえる操作を受け付ける操作部と、複数の異なる報知パターンの報知を実行可能な報知部とを備えた表示装置のコンピュータに対して、前記電池の電池残量を取得する電池残量取得ステップと、前記電池残量取得部により取得した電池残量に応じた報知パターンを、前記複数の異なる報知パターンの中から決定する報知パターン決定ステップと、前記操作部により画像を書きかえる操作を受け付けた場合に、前記報知パターン決定部により決定した報知パターンでの報知を前記報知部に実行させ、且つ、前記不揮発性表示部に画像を書きかえさせる書きかえ制御ステップと、を実行させることを特徴とする。
【発明の効果】
【００１８】
利用者は画像の書きかえ動作を実行中であることを確認するとともに、表示装置の電池残量を確認することができる。
【図面の簡単な説明】
【００１９】
【図１】表示装置１００の外観を示した概略図である。
【図２】表示装置１００のハードウェアの構成を示したブロック図である。
【図３】第一実施形態においてＲＡＭ１０３に設けられる記憶領域を示した模式図である。
【図４】画像Ａから画像Ｂに表示を書きかえる際の表示装置１００の状態の遷移を表す状態遷移図である。
【図５】第一実施形態におけるメイン処理の流れを示したフローチャートである。
【図６】第一実施形態におけるキーイベント監視処理の流れを示したフローチャートである。
【図７】第一実施形態における点滅パターン監視処理の流れを示したフローチャートである。
【図８】第二実施形態におけるＲＡＭ１０３に設けられる記憶領域を示した模式図である。
【図９】第二実施形態におけるメイン処理の流れを示したフローチャートである。
【図１０】第二実施形態におけるコンテンツ表示中処理の流れを示したフローチャートである。
【図１１】第二実施形態における閾値Ｖｅｘ、Ｖｆｘと、表示中のコンテンツの総ページ数との関係を示す概念図である。
【発明を実施するための形態】
【００２０】
以下に、本発明が適用される第一実施形態における表示装置１００について説明する。図１に示すように表示装置１００は不揮発性表示パネル１０６と、操作部１５０と、ＬＥＤ表示部１１１とを備える。表示装置１００は、利用者の操作に伴って、不揮発性表示パネル１０６の画像を書きかえるとともに、ＬＥＤ表示部１１１のＬＥＤを点滅させる。表示装置１００は、画像を書きかえる際に点滅させるＬＥＤの色によって、利用者に電池残量があとどれくらいであるかを報知する。
【００２１】
不揮発性表示パネル１０６には、表示装置１００で表示可能な所定形式の画像のコンテンツや、表示するコンテンツを選択するための選択画面や、表示装置１００で実行可能なメニュー項目を選択するためのメニュー画面等の各種画像が表示される。
【００２２】
不揮発性表示パネル１０６としては、電気泳動型の表示素子やコレステリック液晶等を備えた表示パネルを用いることができる。以下の説明において、本実施形態における不揮発性表示パネル１０６は、電気泳動型の表示素子を備えた表示パネルであるものとして説明する。
【００２３】
不揮発性表示パネル１０６の画像は、後述の表示コントローラ１０５（図２参照）により書きかえられる。不揮発性表示パネル１０６に表示された画像は、不揮発性表示パネル１０６または表示コントローラ１０５への電力の供給が断たれても、表示されたまま維持される。このような表示装置１００は画像の表示の維持のために電力を必要としないため、画像の書きかえ後は、不揮発性表示パネル１０６や表示コントローラ１０５への電力の供給を停止することにより電力消費を抑えることができる。したがって、画像の表示の維持に電力が消費される従来のＬＣＤ（Ｌｉｑｕｉｄ Ｃｒｙｓｔａｌ Ｄｉｓｐｌａｙ）パネルや、ＰＤＰ（Ｐｌａｓｍａ Ｄｉｓｐｌａｙ Ｐａｎｅｌ）などの自発光型の表示パネルを備えた表示装置に比べ、消費電力が少ないという特徴がある。
【００２４】
操作部１５０は、利用者が電源のオン、または、電源のオフを指示する際に押下する源キー１５１と、表示装置１００の電源オン中に利用者が所定の指示を入力するための複数の操作キー１５８とを有する。表示装置１００は、操作キー１５８として、メニューキー１５２と、閉じるキー１５３と、前キー１５５と、次キー１５６と、１３個の選択キー１５７とを備える。
【００２５】
ＬＥＤ表示部１１１は、青、黄、赤の３色のＬＥＤを備える。表示装置１００は、不揮発性表示パネル１０６の画像の書きかえに伴って、ＬＥＤ表示部１１１のＬＥＤを電池残量に応じた点滅パターンにて点滅させる。これにより利用者は電池残量があとどれくらいあるかを知ることができる。
【００２６】
次に、表示装置１００のハードウェアの構成について図２を参照して説明する。図２は表示装置１００のハードウェアの構成を示したブロック図である。表示装置１００は、ＣＰＵ１０１と、ＲＯＭ１０２と、ＲＡＭ１０３と、検出部１０４と、表示コントローラ１０５と、不揮発性表示パネル１０６と、電源制御部１０７と、電池１０８と、メモリカードインターフェース１０９と、メモリカード１１０と、ＬＥＤ表示部１１１と、操作部１５０と、アダプタ２００とを備える。
【００２７】
ＣＰＵ１０１と、ＲＯＭ１０２と、ＲＡＭ１０３とは、それぞれ協働して後述の各処理を実行し、表示装置１００の周辺機器のハードウェアを制御する。
【００２８】
ＣＰＵ１０１は、ＲＯＭ１０２に記憶されたファームウェアに従って、表示装置１００の各周辺機器を制御する。尚、本実施形態においては、表示装置１００の周辺機器は、ＲＯＭ１０２に記憶されたファームウェアによって制御されるものとして説明するが、ＯＳとアプリケーションプログラムとによって制御されるようにしてもよい。
【００２９】
ＲＯＭ１０２は、後述のメイン処理等のプログラムを記憶している不揮発性の記憶装置である。
【００３０】
ＲＡＭ１０３は、ＣＰＵ１０１が処理を実行する際にＲＯＭ１０２に記憶されたプログラムや各処理を実行する際に必要なデータを一時的に記憶する揮発性の記憶装置である。
【００３１】
検出部１０４は、電池１０８の電圧を計測し、計測した電池１０８の電圧の値をＣＰＵ１０１に出力する。検出部１０４は、電池１０８のから検出した電圧のアナログ値をデジタル値に変換するためのＡ／Ｄコンバータや、Ａ／Ｄコンバータにより変換されたデジタルを所定期間保持するためのサンプリングホールド回路等により構成される電圧検出回路である。
【００３２】
メモリカードインターフェース１０９は、ＣＰＵ１０１からの指示に従って、表示装置１００に装着されたメモリカード１１０からデータの読み出し、および、メモリカード１１０へのデータの書き込みを行う。
【００３３】
メモリカード１１０は、表示装置１００で表示可能な所定の形式の画像のコンテンツに関するデータを記憶する。メモリカード１１０は、表示装置１００に着脱可能に備えられている。メモリカード１１０に記憶されているコンテンツは、複数ページの画像のデータを備えている。
【００３４】
本実施形態における不揮発性表示パネル１０６は、周知のアクティブマトリクス方式の電気泳動型の表示パネルである。不揮発性表示パネル１０６は、表示面側の透明基板と、透明基板に対向する位置に設けられた背面基板とを有する。透明基板と背面基板との間に電気泳動型の表示素子が設けられている。不揮発性表示パネル１０６は、不揮発性表示パネル１０６の各ゲートラインへゲート信号を出力するためのゲートドライバ（図示外）と、不揮発性表示パネル１０６の各ソースラインへソース信号を出力するためのソースドライバ（図示外）とを備える。
【００３５】
表示コントローラ１０５は、ゲートドライバによるゲート信号の出力とソースドライバによるソース信号の出力とを制御して画像の書きかえ動作を実行する。表示コントローラ１０５は、ＣＰＵ１０１から受信する画像の書きかえ指示に従って、書きかえる画像に応じたゲート信号とソース信号とを出力する指示をゲートドライバ及びソースドライバに出力する。これにより不揮発性表示パネル１０６の各画素電極には電気泳動型の表示素子を制御する駆動電圧が印加され、不揮発性表示パネル１０６に表示された画像は書きかえられる。
【００３６】
電源制御部１０７は、電池１０８とアダプタ２００とに接続されている。電源制御部１０７は、電池１０８またはアダプタ２００の電源から、ＣＰＵ１０１と、表示装置１００を構成する各周辺機器（ＲＯＭ１０２、ＲＡＭ１０３、検出部１０４、表示コントローラ１０５、不揮発性表示パネル１０６、メモリカードインターフェース１０９、ＬＥＤ表示部１１１、タイマ１１２、操作部１５０）への電力の供給の制御をおこなう。また、電源制御部１０７はアダプタ２００から電力が供給されている場合に、アダプタ２００からの電力を電池１０８に供給し、電池１０８を充電する。また、電源制御部１０７は、ＣＰＵ１０１からの指示に従って、画像の書きかえ時以外は不揮発性表示部１２０への電力供給を停止する。これにより、画像の書きかえ時以外に不揮発性表示部１２０の負荷で電力が消費されることを防ぐことができる。
【００３７】
アダプタ２００は、コンセントを介して商用電源より入力された交流電力を表示装置１００に合わせた形式の直流電力に変換しそれを表示装置１００へ出力する。アダプタ２００はＡＣ−ＤＣアダプタである。
【００３８】
電池１０８は、具体的にはリチウムイオン二次電池等の二次電池である。アダプタ２００がコンセントに接続されておらずアダプタ２００から電力の供給がない場合に、電池１０８からＣＰＵ１０１及び各周辺機器に電力が供給される。
【００３９】
ＬＥＤ表示部１１１は青、緑、黄、赤のそれぞれの色に対応するＬＥＤを備え、ＣＰＵ１０１からの指示に従って、その指示に対応する色のＬＥＤを点滅させる。
【００４０】
タイマ１１２は、ＣＰＵ１０１の指示に従って計時を行う。
【００４１】
操作部１５０は、上述したように電源キー１５１と、複数の操キー１５８とを備える。操作部１５０は押下された操作キー１５８に応じた信号をＣＰＵ１０１に出力する。これによりＣＰＵ１０１は、利用者によりいずれのキーが操作されたかを判断することができる。
【００４２】
ここで、表示装置１００のプログラム実行中にＲＡＭ１０３に設けられる記憶領域について図３を用いて説明する。図３は、ＲＡＭ１０３に設けられる記憶領域を示した概念図である。図３に示すようにＲＡＭ１０３には、キー監視情報記憶領域２０１、点滅パターン記憶領域２０２、点滅パターン履歴記憶領域２０３、表示画像情報記憶領域２０４等が設けられる。
【００４３】
キー監視情報記憶領域２０１には、後述のキーイベント監視処理にてキー監視情報が記憶される。キー監視情報はキーイベント情報と、キー識別情報とで構成される。キーイベント情報は、利用者により操作キー１５８が押下されたか否かを示す情報である。操作キー１５８が押下されたことを示す「発生」、若しくは、操作キー１５８が押下されていないことを示す「未発生」が、キーイベント情報としてキー監視情報記憶領域に記憶される。キー識別情報は、押下された操作キー１５８を識別するための情報である。キーイベント情報として「発生」が記憶されている場合には、利用者により押下された操作キー１５８が何れであるかを示すキー識別情報が記憶される。キーイベント情報として「未発生」が記憶されている場合には、Ｎｕｌｌ値が記憶される。
【００４４】
点滅パターン記憶領域２０２には、後述の点灯パターン監視処理にて点滅パターン情報が記憶される。点滅パターン情報は、表示装置１００の電池残量に対応するＬＥＤの点滅パターンを示す情報である。点滅パターン記憶領域２０２には、点滅パターン情報として「青」、「黄」、「赤」の三種の情報のいずれかが記憶されることになる。表示装置１００は、点滅パターン情報が「青」のときに画像を書きかえる場合は、ＬＥＤ表示部１１１の青色のＬＥＤを１回点滅させる。また、点滅パターン情報が「黄」のときに画像を書きかえる場合は、ＬＥＤ表示部１１１の黄色のＬＥＤを１回点滅させる。また、点滅パターン情報が「赤」のときに画像を書きかえる場合はＬＥＤ表示情報１１１の赤色のＬＥＤを１回点滅させる。
【００４５】
点滅パターン履歴記憶領域２０３には、後述のメイン処理にて点滅パターン履歴情報が記憶される。点滅パターン履歴情報は、前回の画像の書きかえ時にＬＥＤ表示部１１１が何色の点滅パターンでＬＥＤを点滅したかを示す情報である。
【００４６】
表示画像情報記憶領域２０４には、後述のメイン処理にて表示画像情報が記憶される。表示画像情報は、表示中の画像がどのような画像であるかを示す情報である。
【００４７】
次に、表示装置１００の画像の書きかえ動作の一例を説明する。表示装置１００は、利用者に押下された操作キー１５８の種類と表示中の画像とに応じて、表示中の画像を書きかえる。
【００４８】
表示装置１００に表示される画面の種類としては、メニュー項目の一覧を表示したメニュー表示画面、表示するコンテンツを選択するためのコンテンツ選択画面、コンテンツの各ページを１ページずつ表示するコンテンツ表示画面等がある。
【００４９】
メニュー表示画面では、表示装置１００で実行可能なメニュー項目の一覧であるメニューリストが表示される。メニュー表示画面では、選択キー１５７のひとつに対応する位置に一つのメニュー項目が表示される。利用者は選択したいメニュー項目に対応する位置の選択キー１５７を押下することにより、所望のメニュー項目を選択することができる。メニュー表示画面では、「コンテンツ選択」、「設定変更」等の様々なメニュー項目が表示される。利用者が「コンテンツ選択」に対応する選択キー１５７を押下した場合には、コンテンツ選択画面が表示される。
【００５０】
コンテンツ選択画面では、選択キー１５７のそれぞれに対応する位置にコンテンツ名が一つずつ表示される。選択キー１５７が押下された場合はコンテンツ表示画面に切り替わり、押下された選択キー１５７に対応する位置に表示されていたコンテンツ名のコンテンツを表示する。コンテンツ選択画像を表示中に閉じるキー１５３が押下された場合は、メニュー表示画面が再度表示される。また、メニューキー１５２が押下された場合も、メニュー表示画面に書きかえられる。
【００５１】
コンテンツ表示画面では、利用者に選択されたコンテンツの各ページの画像が１ページ毎に表示される。コンテンツ表示画面では、次キー１５６が押下された場合、表示中のページが次のページに書きかえられる。また、前キー１５５が押下された場合、表示中のページが前のページに書きかえられる。閉じるキー１５３が押下された場合は、コンテンツ選択画面に書きかえられる。また、メニューキー１５２が押下された場合はメニュー表示画面に書きかえられる。
【００５２】
このように、表示装置１００は表示中の画像と押下された操作キー１５８に応じて表示する画像を切り替える。ＣＰＵ１０１は、表示画像記憶領域２０４に記憶されている表示画像情報と、キー監視情報記憶領域２０１に記憶されたキー識別情報とにもとづいて、メイン処理のプログラムのアルゴリズムに従って次の画像に書きかえる指示を表示コントローラ１０５に対して実行する。尚、表示装置１００は画像を書きかえられる度に、表示画像情報記憶領域２０４の表示画像情報を表示中の画像のものに更新する。
【００５３】
上述の表示画像情報は、表示中の画面の種類を特定するための画面種類情報と、その画面の種類に応じて表示中の画像を特定するための各種の情報とから構成される。例えば、コンテンツ表示画面の表示中は、画面種類情報の他に、表示中のコンテンツを特定するコンテンツ名情報と、表示中のページを特定する表示ページ情報とがＲＡＭ１０２に記憶される。また、メニュー画面表示中の場合は、画面種類情報の他に、何ページ目のメニューリストを表示中であるかを示す情報がＲＡＭ１０２に記憶される。
【００５４】
本発明を適用した表示装置１００は、画像を書きかえる際にＬＥＤ表示部１１１により電池残量に応じた色のＬＥＤを点滅させる。図４は、利用者により操作キー１５８が押下され、画像Ａから画像Ｂに表示を書きかえる際の表示装置１００の状態の遷移を表す状態遷移図である。図４に示すように、表示装置１００は、画像Ａから画像Ｂに表示を書きかえる際に、その時の電池残量に対応する色のＬＥＤを点滅させる。表示装置１００は、電池残量がきわめて少ない場合は赤色のＬＥＤを点滅させ、電池残量が少ない場合は黄色のＬＥＤを点滅させ、電池残量が十分ある場合は青色のＬＥＤを点滅させる。
【００５５】
表示装置１００の詳細な動作について、フローチャートを用いて説明する。電源キー１５１が押下されると、電池１０８またはアダプタ２００の電源からＣＰＵ１０１に電力の供給が開始され、ＣＰＵ１０１は図５に示すメイン処理を開始する。
【００５６】
メイン処理を開始するとＣＰＵ１０１は、起動処理を実行する（ステップ１０１、以下ステップをＳと称す）。起動処理では、ＣＰＵ１０１は各周辺機器を起動し、周辺機器の動作チェックを行う。そして、不揮発性表示部１２０にメニュー画面を表示させる。そして表示画像記憶領域２０４に表示画像情報を記憶させる。このとき、記憶される表示画像情報としては、画面の種類がメニュー画面であることを特定する表示画面情報が記憶される。
【００５７】
Ｓ１０１で起動処理を行った後、ＣＰＵ１０１は周期タスクであるキーイベント監視処理と、点滅パターン監視処理を開始する（Ｓ１０２）。
【００５８】
詳細は後述するが、キーイベント監視処理では、利用者による操作キー１５８の操作を監視して、キーイベントが発生したか否かを監視する。キーイベントとは、利用者により操作キー１５８が操作された場合に発生するイベントである。キーイベント監視処理は、操作キー１５８の操作に応じて上述のキー監視情報をＲＡＭ１０３のキー監視情報記憶領域２０１に記憶させる（図３参照）。
【００５９】
点滅パターン監視処理の詳細も後述するが、点滅パターン監視処理では、電池１０８の電池残量を定期的に監視し、電池残量に応じた点滅パターンを示す点滅パターン情報をＲＡＭ１０３の点滅パターン記憶領域２０２に記憶させる（図３参照）。
【００６０】
Ｓ１０２でキーイベント監視処理と、点滅パターン監視処理とを開始後は、キー監視情報記憶領域２０１のキー監視情報と、点滅パターン記憶領域２０２の点滅パターン情報とが周期的に更新されるため、ＣＰＵ１０１はキーイベントが発生したか否か、及び、ＬＥＤをどの点滅パターンで点滅させるかを判断できるようになる。
【００６１】
Ｓ１０２でキーイベント監視処理と点滅パターン監視処理とを開始した後、ＣＰＵ１０１は、キーイベントが発生したか否かをキー監視情報記憶領域２０１のキー監視情報に基づいて判断する（Ｓ１０３）。
【００６２】
キー監視情報記憶領域２０１のキーイベント情報が「未発生」である場合は（Ｓ１０３：ＮＯ）、後述のＳ１１０へ移行する。
【００６３】
キー監視情報記憶領域２０１のキーイベント情報が「発生」である場合は（Ｓ１０３：ＹＥＳ）、ＬＥＤ表示部１１１にエラー点滅を行わせるか否かを判断する（Ｓ１０４）。Ｓ１０４におけるエラー点滅を行わせるか否かの判断は、ＲＡＭ１０３に記憶されている表示画像情報と、キー監視情報のキー識別情報とに基づいて行われる。表示中の画像に対して、別の画像への書きかえが対応付けられていない操作キー１５８が押下された場合は、ＣＰＵ１０１は、利用者にその操作が無効であることを示すためにＬＥＤをエラー点滅させる。
【００６４】
ＬＥＤ表示部１１１にエラー点滅を行わせると判断した場合（Ｓ１０４：ＹＥＳ）、ＣＰＵ１０１は、ＬＥＤ表示部１１１にエラー点滅を行わせる指示を行う（Ｓ１０５）。具体的には、ＣＰＵ１０１は、ＬＥＤ表示部１１１に対して赤色のＬＥＤを２回点滅させる指示を行う。エラー点滅を行わせる指示を受けたＬＥＤ表示部１１１は、赤色のＬＥＤを２回点滅させる。ＬＥＤ表示部１１１にエラー点滅を行わせた後、ＣＰＵ１０１は後述のＳ１１０の処理に移行する。
【００６５】
ＬＥＤ表示部１１１にエラー点滅を行わせない場合（Ｓ１０４：ＮＯ）、点滅パターン監視処理によりＲＡＭ１０３の点滅パターン記憶領域２０２に記憶される点滅パターンでＬＥＤを点滅させる指示をＬＥＤ表示部１１１に対して行う（Ｓ１０５）。電池残量が十分である場合は、ＣＰＵ１０１はＬＥＤ表示部１１１に対して、青色のＬＥＤを１回点滅させる指示を行う。電池残量が少ない場合は、ＣＰＵ１０１はＬＥＤ表示部１１１に対して、黄色のＬＥＤを１回点滅させる指示を行う。電池残量が極めて少ない場合は、ＣＰＵ１０１はＬＥＤ表示部１１１に対して赤色のＬＥＤを１回点滅させる指示を行う。
【００６６】
次に、ＲＡＭ１０３の表示画像情報記憶領域２０４に記憶されている表示画像情報とキー識別情報とに対応する画像に書きかえる指示を表示コントローラ１０５に対して行う（Ｓ１０７）。書きかえる画像のデータはあらかじめＲＯＭ１０２に記憶されている画像データを用いる。もしくはコンテンツの表示中は、メモリカード１２０に記憶されているコンテンツの画像データをメモリカードＩ／Ｆ１０９を介して取得したものを用いる。
【００６７】
Ｓ１０５とＳ１０７との指示に従って、ＬＥＤ表示部１１１によるＬＥＤの点滅と、表示コントローラ１０５による不揮発性表示パネル１０６の画像の書きかえとがほぼ同時に開始される。
【００６８】
Ｓ１０７において、表示コントローラ１０５に画像の書きかえの指示を行った後、ＣＰＵ１０１は、現在表示中の画像に対応する表示画像情報を表示画像情報記憶領域２０４に記憶させ、直前のＳ１０５においてＬＥＤを点滅させた点滅パターンを点滅パターン履歴情報として点滅パターン履歴記憶領域２０３に記憶させる（Ｓ１０８）。
【００６９】
次に、ＣＰＵ１０１は、ＲＡＭ１０３のキー監視情報記憶領域２０１のキーイベント情報を「未発生」に書きかえ、キー識別情報をＮＵＬＬ値にする（Ｓ１０９）。
【００７０】
次に、電源キー１５１が押下されているか否かに基づいて、電源オフ操作が行われているか否かを判断する（Ｓ１１０）。電源キー１５１が押下されていない場合は電源オフ操作が行われていないと判断し（Ｓ１１０：ＮＯ）、Ｓ１０３へ移行し、再びＳ１０３からＳ１１０の処理を繰り返す。
【００７１】
電源オフ操作が行われていると判断した場合（Ｓ１１０：ＹＥＳ）、上述のＳ１０２で開始したキーイベント監視処理と点滅パターン監視処理とを停止する（Ｓ１１１）。
【００７２】
ＣＰＵ１０１は、キーイベント監視処理と点滅パターン監視処理とを停止した後、停止処理を実行する（Ｓ１１２）。停止処理では、不揮発性表示部１１０で表示中の画像を消去して白紙の状態にする指示を表示コントローラ１０５に対して行う。そして、周辺機器を停止させ、電力制御部１０７に対してＣＰＵ１０１及び周辺機器への電力供給を停止させる指示を出力し、メイン処理を終了する。
【００７３】
表示装置１００は、画像の書きかえを行う際に画像の書きかえの処理を実行していることをＬＥＤの点滅により報知する。この際のＬＥＤの点滅のパターンは、後述の点滅パターン監視処理により決定される電池１０８の電池残量に応じたパターンである。このため、利用者が残りの電池残量がどれくらいであるかを知ることができる。
【００７４】
次に、上述のメイン処理のＳ１０２により開始されるキーイベント監視処理について、図６を参照して説明する。キーイベント監視処理は、上述のメイン処理と時分割で並列して実行される周期タスクである。キーイベント監視処理は、利用者による操作キー１５８の操作を監視して、キー監視情報を介してメイン処理にキーイベントの発生を伝える。
【００７５】
キーイベント監視処理を開始すると先ず、ＣＰＵ１０１は、タイマ１１２により計時を行い、２０ｍｓｅｃ経過するまで待機する（Ｓ２０１）。２０ｍｓｅｃ経過した場合（Ｓ２０１：ＹＥＳ）、ＣＰＵ１０１は、キーポートの入力を確認し、操作キー１５８が押下されていること示す信号の入力があるか否かを判断する（Ｓ２０２）、操作キー１５８の押下を示す信号の入力がある場合は（Ｓ２０２：ＹＥＳ）、キーイベント情報として「発生」をキー監視情報記憶領域２０１に記憶し、キー種別情報として押下されている操作キー２５８のキー識別情報をキー監視情報記憶領域２０１に記憶する（Ｓ２０３）。
【００７６】
上述のＳ２０２において、入力がないと判断した場合は（Ｓ２０２：ＮＯ）、ＣＰＵ１０１はＳ２０４の処理に移行する。
【００７７】
Ｓ２０３においてキーイベント情報とキー識別情報とを記憶した後、上述のメイン処理のＳ１１１によりキーイベント監視処理の停止が決定されているか否かを判断する（Ｓ２０４）。
【００７８】
キーイベント監視処理の停止が決定されている場合は（Ｓ２０４：ＹＥＳ）、キーイベント監視処理を終了する。キーイベント監視処理の停止が決定されていない場合は（Ｓ２０４：ＮＯ）、Ｓ２０１に戻り、Ｓ２０１からＳ２０４までの処理を繰り返す。
【００７９】
次に、上述のメイン処理のＳ１０２により開始される点滅パターン監視処理について、説明する。点滅パターン監視処理は、上述のメイン処理と時分割で並列して実行される周期タスクである。点滅パターン監視処理は、電池１０８の電池残量を監視して、画像書きかえ時のＬＥＤ表示部１１１の点滅パターンを決定する。尚、本実施形態では、検出部１０４によって検出した電池１０８の電圧の値を電池残量とする。
【００８０】
この点滅パターン監視処理において、画像書きかえ時の点滅パターンを決定する際に用いられる閾値Ｖａ〜Ｖｄについて説明する。閾値Ｖａは、前回の書きかえ時のＬＥＤ表示部１１１の点滅パターンが赤、若しくは、黄であった場合に、ＲＡＭ１０３に記憶する点滅パターン情報を「青」に決定するか否かの判断に用いる際の閾値である。閾値Ｖｂは、前回の書きかえ時のＬＥＤ表示部１１１の点滅パターンが青であった場合に、ＲＡＭ１０３に記憶する点滅パターン情報を「黄」にするか否かの判断に用いる際の閾値である。閾値Ｖｃは、前回の書きかえ時のＬＥＤ表示部１１１の点滅パターンが赤であった場合に、ＲＡＭ１０３に記憶する点滅パターン情報を「黄」にするか否かの判断に用いる際の閾値である。閾値Ｖｄは、前回の書きかえ時のＬＥＤ表示部１１１の点滅パターンが青、若しくは、黄であった場合に、ＲＡＭ１０３に記憶する点滅パターン情報を「赤」に決定するか否かの判断に用いる閾値である。
【００８１】
それぞれの閾値Ｖａ〜Ｖｄの大きさの関係は、Ｖａ＞Ｖｂ＞Ｖｃ＞Ｖｄとなる。閾値Ｖａ＞閾値Ｖｂとする理由は、電圧検出時の誤差に対応するためである。たとえば、前回の書きかえ時の点滅パターンが青の場合に点滅パターンを黄に変更する際に用いる閾値と、前回の書きかえ時の点滅パターンが黄の場合に点滅パターンを青に変更する際に用いる閾値とを同じ値の閾値Ｖａとすると、次のような問題がある。検出部１０４で検出される電池１０８の電圧は、電圧検出の際の誤差によって、検出される度に変動する。また、周囲温度の変動による電池１０８の電圧の変動によっても、電圧の検出値は変動する。したがって、電池１０８の電池残量が略一定であるにもかかわらず、画像の書きかえの際に点滅するＬＥＤ表示部１１１の点滅パターンがばらつくことがある。このような問題は、電池１０８の電圧の値が、閾値Ｖａに近い場合に発生する。このような問題の発生を防ぐために、本実施形態の表示装置１００では２つの閾値Ｖａと、閾値Ｖａよりも少し低い値である閾値Ｖｂを用いている。
【００８２】
図７に示すように、点滅パターン監視処理を開始すると先ずＣＰＵ１０１は、タイマ１１２により計時を行い、２０ｍｓｅｃ経過するまで待機する（Ｓ３０１）。２０ｍｓｅｃ経過した場合（Ｓ３０１：ＹＥＳ）、電池１０８の電池残量を取得する。
【００８３】
図７を参照して点滅パターン監視処理を説明する。ＣＰＵ１０１は点滅パターン監視処理を開始すると、検出部１０４を介して電池１０８の電圧の値を取得する（Ｓ３０１）。
【００８４】
次に、点滅パターン履歴記憶領域２０３に記憶されている点滅パターン履歴情報が「赤」であるか否かを判断する（Ｓ３０２）。点滅パターン履歴情報が「赤」である場合は（Ｓ３０２：ＹＥＳ）、Ｓ３０１において取得した電圧の値が、閾値Ｖａ以上であるか否かを判断する（Ｓ３０３：ＹＥＳ）。閾値Ｖａ以上である場合は、点滅パターン記憶領域２０２の点滅パターン情報を「青」に更新し（Ｓ３０４）、後述のＳ３１８に移行する。Ｓ３０１において取得した電圧の値が、閾値Ｖｃ以上であるか否かを判断する（Ｓ３０５）。閾値Ｖｃ以上である場合は（Ｓ３０５：ＹＥＳ）、点滅パターン記憶領域２０２の点滅パターン情報を「黄」に更新し（Ｓ３０６）、Ｓ３１８に移行する。閾値Ｖｃ以上でない場合は（Ｓ３０５：ＮＯ）、点滅パターン情報を「赤」のまま、更新を行わずにＳ３１８へ移行する。
【００８５】
点滅パターン情報履歴記憶領域２０３に記憶されている点滅パターン履歴情報が「赤」でない場合は（Ｓ３０２：ＮＯ）、点滅パターン履歴記憶領域２０３に記憶されている点滅パターン履歴情報が「黄」であるか否かを判断する（Ｓ３０７）。点滅パターン履歴情報が「黄」である場合は（Ｓ３０７：ＹＥＳ）、Ｓ３０１において取得した電圧の値が、閾値Ｖａ以上であるか否かを判断する（Ｓ３０８）。閾値Ｖａ以上である場合は（Ｓ３０８：ＹＥＳ）、点滅パターン記憶領域２０２の点滅パターン情報を「青」に更新し（Ｓ３０９）、Ｓ３１８に移行する。閾値Ｖａ以上でない場合は（Ｓ３０８：ＮＯ）、取得した電圧の値が、閾値Ｖｄ以上であるか否かを判断する（Ｓ３１０）。閾値Ｖｄ以上である場合は（Ｓ３１０：ＹＥＳ）、点滅パターン情報を「黄」のまま、更新を行わずにＳ３１８へ移行する。閾値Ｖｄ以上でない場合は（Ｓ３１０：ＮＯ）、点滅パターン情報を「赤」に更新し（Ｓ３１１）、Ｓ３１８に移行する。
【００８６】
点滅パターン情報履歴記憶領域２０３に記憶されている点滅パターン履歴情報が「黄」でない場合は（Ｓ３０７：ＮＯ）、点滅パターン履歴記憶領域２０３に記憶されている点滅パターン履歴情報が「青」であるか否かを判断する（Ｓ３１２）。点滅パターン履歴情報が「青」である場合は（Ｓ３１２：ＹＥＳ）、Ｓ３０１において取得した電圧の値が、閾値Ｖｂ以上であるか否かを判断する（Ｓ３１３）。閾値Ｖｂ以上である場合は（Ｓ３１３：ＹＥＳ）、点滅パターン記憶領域２０２に記憶されている点滅パターン情報を「青」のまま更新を行わずにＳ３１８に移行する。閾値Ｖｂ以上でない場合は（Ｓ３１３：ＮＯ）、閾値Ｖｄ以上であるか否かを判断する（Ｓ３１４）。閾値Ｖｄ以上である場合は（Ｓ３１４：ＹＥＳ）、点滅パターン情報を「黄」に更新し（Ｓ３１５）、Ｓ３１８に移行する。閾値Ｖｄ以上でない場合は（Ｓ３１４：ＮＯ）、点滅パターン情報を「赤」に更新し（Ｓ３１６）、Ｓ３１８に移行する。
【００８７】
点滅パターン履歴記憶領域２０３に記憶されている点滅パターン履歴情報が「青」でない場合は（Ｓ３１２：ＮＯ）、まだ一度も画像の書きかえが行われていないので、初期値として点滅パターン情報として「青」を点滅パターン記憶領域２０２に記憶して（Ｓ３１７）、Ｓ３１３に移行する。
【００８８】
Ｓ３１８では、上述のメイン処理のＳ１１１により点滅パターン監視処理の停止が決定されているか否かを判断する（Ｓ３１８）。
【００８９】
点滅パターン監視処理の停止が決定されている場合は（Ｓ３１８：ＹＥＳ）、点滅パターン監視処理を終了する。点滅パターン監視処理の停止が決定されていない場合は（Ｓ３１８：ＮＯ）、タイマ１１２により２０ｍｓｅｃ経過するまで待機する（Ｓ３１９：ＮＯ）。２０ｍｓｅｃ経過した場合は（Ｓ３１９：ＹＥＳ）、上述のＳ３０１からＳ３１８までの処理を繰り返す。
【００９０】
以上の動作により、利用者により操作キー１５８が押下された場合、表示装置１００は、画像を書きかえるとともに、ＬＥＤ表示部１１１のＬＥＤを電池残量に応じたパターンで点滅させるので、利用者は電池残量があとどれくらいであるかを確認できる。
【００９１】
また、第一実施形態のエラー点滅は電池残量にかかわらず同じ点滅パターンでの点滅とするので利用者が混乱することがない。たとえば、エラー点滅を電池残量に応じて異なる点滅パターンで点滅すると、利用者はエラーの原因が異なるために点滅パターンが異なっているのではないかと混乱する恐れがあるため、本実施形態においてはこれを防止している。
【００９２】
尚、第一実施形態における不揮発性表示パネル１０６と、表示コントローラ１０５とが、特許請求の範囲に記載の不揮発性表示部に相当する。また、第一実施形態における電池１０８が、特許請求の範囲に記載の電池に相当する。また、第一実施形態におけるＬＥＤ表示部１１１が、特許請求の範囲に記載の報知部に相当する。また、第一実施形態における点滅パターン監視処理のＳ３０１を行うＣＰＵ１０１が特許請求の範囲に記載の電池残量取得部に相当する。また、また、第一実施形態におけるＳ３０２〜Ｓ３１７の処理を行うＣＰＵ１０１が、特許請求の範囲に記載の報知パターン決定部に相当する。また、第一実施形態におけるＳ１０５〜Ｓ１０７の処理を行うＣＰＵ１０１が、特許請求の範囲に記載の書きかえ制御部に相当する。また、第一実施形態におけるＳ１０８の処理を行うＣＰＵ１０１が、特許請求の範囲に記載の前回報知パターン記憶部に相当する。また、第一実施形態におけるＳ１０７を行うＣＰＵ１０１が、特許請求の範囲に記載の画像取得部に相当する。
【００９３】
次に、第二実施形態について説明する。第一実施形態と異なるところについて主に説明し、第一実施形態と同じ構成については同じ符号を用いて説明する。
【００９４】
第二実施形態の表示装置３００は、表示中のコンテンツのページ数に応じてＬＥＤの点滅パターンを変える。第二実施形態の表示装置１００は点滅パターンを緑とすることで、残りの電池残量で表示中のコンテンツのページをすべて表示させることができる可能性が低くなったことを利用者に報知する。尚、以下の説明においてコンテンツ表示中の画像の書きかえの際の、ＬＥＤ表示部３１１の点滅パターンをコンテンツ表示中点滅パターンと称する。
【００９５】
第二実施形態の表示装置３００の外観及びハードウェアの構成は第一実施形態の表示装置１００と略同様である。ただ、第一実施形態のＬＥＤ表示部１１１に換えＬＥＤ表示部３１１を備える。ＬＥＤ表示部３１１は、赤、黄、青のＬＥＤに加え、緑を発光するＬＥＤを有する。
【００９６】
図８は、表示装置３００のプログラムを実行中にＲＡＭ１０３に設けられる記憶領域の模式図である。第一実施形態と同様の、キー監視情報記憶領域２０１、点滅パターン記憶領域２０２、点滅パターン履歴記憶領域２０３、表示画像情報記憶領域２０４、に加え、コンテンツ表示中点滅パターン記憶領域２０５が設けられる。コンテンツ表示中点滅パターン記憶領域２０５は、コンテンツ表示中点滅パターン情報を記憶するための領域である。コンテンツ表示中点滅パターン情報は、コンテンツ表示中の点滅パターンを示す。コンテンツ表示中点滅パターン情報は、後述のコンテンツ表示中処理において、ＲＡＭ１０３のコンテンツ表示中点滅パターン記憶領域２０５に記憶される。
【００９７】
図９は、表示装置３００のメイン処理の流れを示すフローチャートである。図９に示すように、第一実施形態と異なる点は、Ｓ１２０とＳ１２１とが追加されている点である。それ以外の処理は第一実施形態と同じである。
【００９８】
表示装置３００のＣＰＵ１０１は、エラー点滅を行わないと判断した場合（Ｓ１０４：ＮＯ）、コンテンツを表示中であるか否かを判断する（Ｓ１２０）。Ｓ１０１〜Ｓ１０４までの流れは第一実施形態と同様であるので説明を省略する。コンテンツを表示中であるか否かは、表示画像情報記憶領域２０４に記憶されている表示画像情報に基づいて行う。コンテンツを表示中でない場合は（Ｓ１２０：ＮＯ）、点滅パターン記憶領域２０２に記憶されている点滅パターン情報に基づいてＬＥＤを点滅させる（Ｓ１０５）。Ｓ１０５以降の処理は第一実施形態と同様であるため説明を省略する。
【００９９】
コンテンツを表示中であると判断した場合は（Ｓ１２０：ＹＥＳ）、コンテンツ表示中処理を行う（Ｓ１２１）。
【０１００】
図１０はコンテンツ表示中処理を示したフローチャートである。ＣＰＵ１０１はコンテンツ表示中処理を開始すると、点滅パターン記憶領域２０２に記憶されている点滅パターン情報が「青」であるか否かを判断する（Ｓ６０１）。点滅パターン情報が「青」である場合は、点滅パターン情報記憶領域２０２に記憶されている点滅パターン情報に応じた色を点滅させる指示をＬＥＤ表示部１１１に対して行い（Ｓ６１３）、メイン処理のＳ１０７に戻る。
【０１０１】
点滅パターン記憶領域２０２に記憶されている点滅パターン情報が「青」である場合は（Ｓ６０１：ＹＥＳ）、検出部１０４を介して電池１０８の電池残量である電圧を取得する（Ｓ６０２）。
【０１０２】
次に、表示中のコンテンツの総ページ数を取得する（Ｓ６０３）。メモリカード１２０には、コンテンツの画像データとともに、そのコンテンツの総ページ数が記憶されており、ＣＰＵ１０１はメモリカードＩ／Ｆ１０９を介して表示中のコンテンツの総ページ数を取得することができる。
【０１０３】
次に、取得したコンテンツの総ページ数に対応する閾値Ｖｅｘ、Ｖｆｘを決定する（Ｓ６０４）。ここで、閾値Ｖｅｘは、前回の書きかえ時のコンテンツ表示中点滅パターンが緑であった場合に、次の書きかえ時のコンテンツ表示中点滅パターンを、青と緑のいずれにするかを決定するために用いる閾値である。また、閾値Ｖｆｘは、前回の書きかえ時のコンテンツ表示中点滅パターンが青であった場合に、次の書きかえ時のコンテンツ表示中点滅パターンを、青と緑のいずれにするかを決定するために用いる閾値である。尚、閾値ＶｅｘおよびＶｆｘはいずれも上述の閾値Ｖｄよりも大きい値が設定される。
【０１０４】
Ｓ６０４では、Ｓ６０３において取得したコンテンツの総ページ数が１ページ以上５０ページ以下である場合は、閾値Ｖｅ１を閾値Ｖｅｘとして決定し、閾値Ｖｆ１を閾値Ｖｆｘとして決定する。表示中のコンテンツの総ページ数が５１ページ以上１００ページ以下である場合は、閾値Ｖｅ２を閾値Ｖｅｘとして決定し、閾値Ｖｆ２を閾値Ｖｆｘとして決定する。総ページ数が１０１ページ以上である場合は、閾値Ｖｅ３を閾値Ｖｅｘとして決定し、閾値Ｖｆ３を閾値Ｖｆｘとして決定する。ここで各閾値Ｖｅ１、Ｖｆ１、Ｖｅ２、Ｖｆ２、Ｖｅ３、Ｖｆ３の値はそれぞれＶｅ１＞Ｖｆ１＞Ｖｅ２＞Ｖｆ２＞Ｖｅ３＞Ｖｆ３となるようにあらかじめ設定されている。表示中のコンテンツの総ページ数と各閾値との関係を図１１に示す。
【０１０５】
このようにＳ６０４において閾値ＶｅｘとＶｆｘとを決定したあと、ＣＰＵ１０１は、コンテンツ表示中点滅パターン記憶領域２０５に記憶されているコンテンツ表示中点滅パターン情報が「緑」であるか否かを判断する（Ｓ６０５）。
【０１０６】
コンテンツ表示中点滅パターン記憶領域２０５に記憶されているコンテンツ表示中点滅パターン情報が「緑」である場合は（Ｓ６０５：ＹＥＳ）、Ｓ６０２で取得した電池残量が閾値Ｖｅｘ以上であるか否かを判断する（Ｓ６０６）。尚、ここで用いられる閾値Ｖｅｘは、Ｓ６０４で決定された閾値Ｖｅ１、Ｖｅ２、Ｖｅ３のいずれかが用いられる。すなわち表示中のコンテンツの総ページ数に応じてＬＥＤ表示部３１１の点滅パターンを青と緑のいずれにするかを決定する。
【０１０７】
電池残量が閾値Ｖｅｘ以上である場合は（Ｓ６０６：ＹＥＳ）、コンテンツ表示中点滅パターン記憶領域２０５のコンテンツ表示中点滅パターン情報を「青」に更新し（Ｓ６０７）、後述のＳ６１２に進む。電池残量が閾値Ｖｅｘ以上でない場合は（Ｓ６０６：ＮＯ）、コンテンツ表示中点滅パターン記憶領域２０５のコンテンツ表示中点点滅パターン情報を「緑」のまま更新を行わずＳ６１２に移行する。
【０１０８】
コンテンツ表示中点滅パターン情報が「緑」でない場合は（Ｓ６０５：ＮＯ）、コンテンツ表示中点滅パターン記憶領域２０５に記憶されているコンテンツ表示中点滅パターン情報が「青」であるか否かを判断する（６０８）。
【０１０９】
コンテンツ表示中点滅パターン情報が「青」である場合は（６０８：ＹＥＳ）、Ｓ６０２において取得した電池残量が閾値Ｖｆｘ以上であるか否かを判断する（Ｓ６０９）。尚、ここで用いられる閾値Ｖｆｘは、Ｓ６０４で決定された閾値Ｖｆ１、Ｖｆ２、Ｖｆ３のいずれかが用いられる。すなわち表示中のコンテンツの総ページ数に応じてＬＥＤ表示部３１１の点滅パターンを青と緑のいずれにするかを決定する。
【０１１０】
電池残量が閾値Ｖｆｘ以上である場合は（Ｓ６０９：ＹＥＳ）、コンテンツ表示中点滅パターン情報を「青」のまま更新せずにＳ６１２に移行する。
【０１１１】
電池残量が閾値Ｖｆｘ以上でない場合は（Ｓ６０９：ＮＯ）、コンテンツ表示中点滅パターン情報を「緑」に更新してＳ６１２に移行する。
【０１１２】
コンテンツ表示中点滅パターン履歴記憶領域２０５に記憶されているコンテンツ表示中点滅パターン履歴情報が「青」でない場合は（Ｓ６０８：ＮＯ）、コンテンツ表示中にまだ一度も画像の書きかえが行われていないので、初期値としてコンテンツ表示中点滅パターン情報として「青」をコンテンツ表示中点滅パターン記憶領域２０５に記憶して（Ｓ６１１）、Ｓ６０９に移行する。
【０１１３】
次に、ＣＰＵ１０１はコンテンツ表示中点滅パターン記憶領域２０５に記憶されたコンテンツ表示中点滅パターン情報に応じてＬＥＤを点滅させる指示をＬＥＤ表示部３１１に対して実行し（Ｓ６１２）、メイン処理のＳ１０７へ戻る。
【０１１４】
以上の動作により、利用者により操作キー１５８が押下された場合、表示装置１００は、画像を書きかえるとともに、ＬＥＤ表示部３１１のＬＥＤを電池残量に応じたパターンで点滅させるので、利用者は電池残量があとどれくらいであるかを確認できる。さらに、コンテンツの表示中は、表示中のコンテンツが最後まで表示できるか否かに基づいて、ＬＥＤ表示部３１１の点滅パターンを変えるので、利用者は表示中のコンテンツを最後まで表示できるか否かを事前に知ることができる。
【０１１５】
尚、第二実施形態におけるＳ６０２を行うＣＰＵ１０１は、特許請求の範囲に記載の電池残量取得部に相当する。また、第二実施形態におけるＳ６０３〜Ｓ６１１の処理を行うＣＰＵ１０１が、特許請求の範囲に記載の報知パターン決定部に相当する。また、第二実施形態におけるＳ６１２、Ｓ６１３の処理を行うＣＰＵ１０１が、特許請求の範囲に記載の書きかえ制御部に相当する。また、第二実施形態におけるＳ６０７、Ｓ６１０の処理を行うＣＰＵ１０１が、特許請求の範囲に記載の前回報知パターン記憶部に相当する。
【０１１６】
尚、本発明の表示装置及び表示装置のプログラムは、上記した実施の形態に限定されるものではなく、本発明の要旨を逸脱しない範囲内において種々変更を加え得ることは勿論である。
【０１１７】
たとえば、上述の第一実施形態および第二実施形態においては、電池残量を示す値として電池１０８の電圧の値を用いているが本発明はこれに限られるものではない。表示装置１００の各周辺機器の駆動状況と、それらの駆動に消費される電力とから消費された電力を算出して電池残量を推論するようにしてもよい。この場合、満充電時の電池容量から、各周辺機器の駆動によって消費される電池容量を引くことにより表示装置１００の電池残量を算出すればよい。
【０１１８】
また、上述の第一実施形態および第二実施形態においては、表示装置１００が電池１０８として二次電池であるものとして説明したが、本発明は二次電池の変わりに一次電池を備えた表示装置に適用することもできる。
【０１１９】
また、上述の第一実施形態および第二実施形態においては、電池残量が少ない状態を示す点滅パターンから電池残量が多い状態を示す点滅パターンに変更する場合の閾値と、電池残量が多い状態を示す点滅パターンから電池残量が少ない状態を示す点滅パターンに変更する場合の閾値とについて、それぞれ異なる値の閾値を用いるものとして説明したが、両方の閾値として同一の値の閾値を用いるようにしてもよい。
【０１２０】
また、上述の第一実施形態および第二実施形態においては、電池残量の違いを点滅させるＬＥＤの色の違いにより報知したが、それ以外のパターンで報知するようにしてもよい。たとえば、電池残量が多い場合はＬＥＤを１回点滅させ、電池残量が少ない場合はＬＥＤを２回点滅させ、電池残量がきわめて少ない場合はＬＥＤを３回点滅させるようにしてもよい。また、複数のＬＥＤを設け、点滅させるＬＥＤの個数の違いにより電池残量を表すことなども考えられる。
【０１２１】
また、上述の第一実施形態および第二実施形態においては、電池残量の違いをＬＥＤ表示部１１１もしくはＬＥＤ表示部３１１の点滅パターンの違いにより利用者に報知した。しかし、本発明はこれに限らない。報知部としてＬＥＤ表示部１１１、３１１以外のデバイスを採用することも考えられる。たとえば、所定の音を発生させる圧電ブザーなどを設け、音の発生により利用者に書きかえ動作中であることを報知するとともに、音の発生パターンの違いにより電池残量の違いを利用者に報知することなども考えられる。もしくは振動素子を設け振動パターンの違いなどを利用するなど、様々な変形が考えられる。
【符号の説明】
【０１２２】
１００    表示装置
１０１    ＣＰＵ
１０２    ＲＯＭ
１０３    ＲＡＭ
１０４    検出部
１０５    表示コントローラ
１０６    不揮発性表示パネル
１０７    電源制御部
１０８    電池
１０９    メモリカードＩ／Ｆ
１１１、３１１    ＬＥＤ表示部
１１２    タイマ
１２０    メモリカード
１５０    操作部
２００    アダプタ
【図１】
2011064732.tif 000003
【図２】
2011064732.tif 000004
【図３】
2011064732.tif 000005
【図４】
2011064732.tif 000006
【図５】
2011064732.tif 000007
【図６】
2011064732.tif 000008
【図７】
2011064732.tif 000009
【図８】
2011064732.tif 000010
【図９】
2011064732.tif 000011
【図１０】
2011064732.tif 000012
【図１１】
2011064732.tif 000013